(57)【特許請求の範囲】
【請求項１】
不使用時には没入位置に保持され、キー（７）により開錠するとバネにより付勢されて自動的に突出する摘み部（１）を有する錠前（２）の後端のカム駆動軸（９）に連動カム（３）を取り付け、さらに連動カム（３）に係合する突起（１６）を設けたラッチ（４）を一条のコイルバネ（１９）で突出するように付勢させながらラッチガイド（１８）に摺動自在に取り付け、摘み部（１）を回動することにより連動カム（３）によりラッチ（４）を引いてラッチガイド（１８）内に没入させるようにし、ラッチ（４）をラッチガイド（１８）に摺動自在に取り付けたラッチ本体（５）と錠前（２）と連動カム（３）をそれぞれ別々に構成してあり、ラッチ本体（５）を上下対称の形状にしてあり、突起（１６）はラッチガイド（１８）に架設されたピン（２１）によって形成されていてラッチ（４）の側部において連動カム（３）にまで延びており、ピン（２１）にはコイルばね（１９）の一端部が取り付けられていることを特徴とする摘み部出没型ラッチ錠。
【発明の詳細な説明】
【発明の属する技術分野】
この発明は、電気機器用パイプスペース、点検口、床下収納庫、等の不使用時に摘み部（ハンドル）が没入するようになった扉に使用される錠前に関するものである。
【従来の技術】
従来の電気機器用パイプスペースの扉に使用される錠前としては、平面ハンドルが一般的に使用されている。
この平面ハンドルは、操作用のハンドルが施錠状態では本体枠に倒伏状態で収納され、開錠して扉を開くときにハンドルを起こすようになっており、ハンドルと共に回動する掛け金が相手方のロック穴に係脱するようになったものであった。
また、天井や床面の点検口等には、摘み部出没型のロック装置が一般的に使用されている。
この摘み部出没型のロック装置は、施錠状態では摘み部が外筒ケース内に没入状態になり、開錠すると摘み部が外筒ケースからバネにより付勢されて突出し、外筒ケースの後端には摘み部と共に回動する掛け金が取り付けられており、摘み部を回動させて相手方のロック穴と係脱するようになったものであった。
これらの錠前は、掛け金を回動させて掛け金の先端を相手方のロック穴に係脱するようにしたものであり、高級感のないものであった。
そのため、高級感のするラッチ錠を使用することが望まれていたが、摘み部が出没するようになったラッチ錠は、従来にはないだけでなく、従来のラッチ錠は構造的に複雑であり、価格が高いという問題があった。
【発明が解決しようとする課題】
そこでこの発明では、上記の問題点を解決し、電気機器用パイプスペース等の扉にも使用可能な簡単な構造で低価格でありながら高級感のする摘み部出没型ラッチ錠を提供することを目的とする。
【課題を解決するための手段】
そのためこの発明では、不使用時には没入位置に保持され、キー７により開錠するとバネにより付勢されて自動的に突出する摘み部１を有する錠前２の後端のカム駆動軸９に連動カム３を取り付け、さらに連動カム３に係合する突起16を設けたラッチ４をバネ19で突出するように付勢させながらラッチガイド18に摺動自在に取り付け、摘み部19を回動することにより連動カム３によりラッチ４を引いてラッチガイド(18)内に没入させるようにし、ラッチガイド18に摺動自在に取り付けたラッチ本体５と錠前２と連動カム３をそれぞれ別々に構成してあり、ラッチ本体５を上下対称の形状にしてある。
前記構成とすれば、突出する摘み部を有する新規な構造のラッチ錠となるだけでなく、しかも簡単な構造になる。
前記ラッチ錠を、ラッチ４をバネ19で突出するように付勢させながらラッチガイド18に摺動自在に取り付けたラッチ本体５と、出没可能な摘み部１を有する錠前２と、摘み部１の回動に連動しラッチ４を出没させる連動カム３をそれぞれ別々に構成し、扉に取り付けるときに組み合わせるようにしたものとすることが好ましい。
このようにすれば、ラッチ本体５、錠前２、連動カム３を別々のパーツとすることによりラッチ本体５及び錠前２を他に流用可能な汎用性をもったものとすることができ、単体での製造個数を増やすことができるので、製作が容易になる。
前記ラッチ本体５を上下対称の形状にすることが好ましい。
このようにすれば、開き勝手のことなる扉であってもラッチ本体５の構造を変更しなくてもそのまま使用できる。
【発明の実施の形態】
図１は、この発明の摘み部出没型ラッチ錠の使用状態を示す斜視図、図２は、図１の分解斜視図、図３は摘み部を突出させた状態の斜視図、図４はラッチを没入させた状態の斜視図、図５はラッチを出没させた状態を示す背面図、図６は開き勝手の異なる扉に使用した場合の斜視図、図７は図６の分解斜視図である。
以下、この発明の実施の形態をこれらの図面に基づいて説明する。
この実施例の摘み部出没型ラッチ錠は、前面の正方形をした摘み部１が本体枠8aから出没するようになった錠前２と、錠前２の後端に取り付けられた連動カム３と、連動カム３によりラッチ４の先が出没するようになったラッチ本体５からなるものである。
さらに詳しく説明すると、錠前２は、鍵穴６にキー７を差し込み、図示時計廻りにキー７を回動させると、摘み部１が内蔵されたバネ（図示せず）により手前側に突出し、さらに回動すると錠前２の本体８の後端から突出したカム駆動軸９が摘み部１と共に回動するようになったものであり、例えば実公平６−２９３８８号のように公知の構造のものである。
錠前２の本体８は、本体枠8aの後方が略円筒形をしており、さらに本体８の後端から突出したカム駆動軸９は、四角形をしており、中心には雌ネジが形成され、そこに連動カム固定用ネジ10が螺合するようになっている。さらに、本体８の円筒形部分の前方側の外側面には雄ネジ部（図示せず）が形成されており、そこには取付用ナット11が螺合している。そして、錠前２を扉Ｄに固定するには、扉に形成された穴に本体８の円筒形部分を前方から挿入し、後方から取付用ナット11を嵌めて挟持することにより行われる。
連動カム３は、鉄板を階段状に折曲し、垂下片12、中央水平片13、直立片14としたものであり、垂下片12には四角穴15が形成されており、前記錠前２の後端から突出したカム駆動軸９と回動不能に係合するようになっている。さらに、直立片14には、カム穴17が形成されており、ラッチ４の側部に形成された突起16を遊嵌するようになっている。
ラッチ本体５は、ラッチ４と、ラッチ４を摺動自在に保持するラッチガイド18と、ラッチ４を突出する方向に付勢するコイルバネ19からなる。ラッチ４は、先部が斜めに形成されており、扉を閉めるときにラッチ４の先が相手側に当たると自動的にラッチ４がラッチガイド18内に没入するようになっている。ラッチ４の基端側には突起16が形成されており、突起16は前記連動カム３のカム穴17内に遊嵌されるようになっている。ラッチガイド18は、縦長に形成された取付座18a とラッチをガイドするガイド部18b からなり、ラッチ４の先端は取付座18a の中央から出没するようになっている。コイルバネ19は、ガイド部18b に架設されたピン20と、突起16を形成しているピン21との間に取り付けられており、ラッチ４の先端が取付座18a の中央から突出するように付勢している。さらに、ラッチ本体５は、上下対称に形成されている。
この発明のラッチ錠は、以上のように３つのパーツからなり、扉Ｄに取り付けるときに次のようにして組み立てられる。
先ず、扉Ｄの前面板に形成された丸穴（図示せず）に錠前２を取付用リング11を使用して取り付ける。
次に、扉Ｄの側端面を挿通するネジ22,22 をラッチ本体５の取付座18a のネジ穴に螺合させることにより、ラッチ本体５を扉Ｄに取り付ける。
次に、連動カム３の垂下片12に形成された四角穴15に、本体８の後端から突出したカム駆動軸９を嵌入し、連動カム固定用ネジ10で連動カム３を取り付ける。
このとき、図５に示すように、カム穴17の端がラッチ４の近くに位置するようになっている。
以上のようにして組み立てられたこの発明のラッチ錠は、次のようにして使用される。
先ず、施錠状態では図１に示すように摘み部１が没入した状態になっている。
鍵穴６にキー７を差し込み、図示時計廻りに回転させると、摘み部１の係止が外れ、内蔵されたバネにより付勢されて図３に示すように摘み部１が前方に突出する。
さらにキー７を図示時計廻りに回転させると、摘み部１が時計廻りに回転し、同時に連動カム３が時計廻りに回転する。
すると、連動カム３のカム穴17の端がラッチ４の突起16に当たり、ラッチ４が図４及び図５に示すように連動カム３に引かれて、ラッチ本体５のガイド部18b内に没入する。
この状態で、摘み部１を引くと扉Ｄが開く。
扉Ｄを施錠するときは、キー７を抜いた状態で扉Ｄを閉め、摘み部１を錠前２内に没入させる。すると、摘み部１が没入位置に保持され、扉Ｄは開かなくなる。
開き勝手の異なる扉Ｄにこの発明のラッチ錠を取り付ける場合は、ラッチ本体５が上下対称であるので、図６及び図７に示すようにラッチ本体５を上下を逆にして取り付ける。このとき、連動カム31は、前記の連動カム３と左右が逆になったものを製作して使用する。この左右が逆になった連動カム31は、具体的には、同じ打ち抜き型で抜いたものを裏返しにして同じ折り曲げ型で曲げることにより作製することができるので、金型を新たに起こしたり、製造工程を替えることなく簡単に製作できる。
以上が実施例であり、この発明では電気機器用パイプスペースの扉に使用した例を示したが、前記扉に限定するものではなく、多目的に使用できる。
【発明の効果】
この発明では、上述のように構成されており高級感のある錠前であるが、簡単な構造であるので、安価に製作できる。ラッチ本体５、錠前２、連動カム３を別々のパーツとすることにより汎用性をもったものとすることができ、製作が容易になるので、さらに安価に製作できる。ラッチ本体５を上下対称の形状にすれば、開き勝手のことなる扉であってもラッチ本体５の構造を変更しなくてもそのまま使用でき、製作が容易になる。
【図面の簡単な説明】
【図１】この発明の摘み部出没型ラッチ錠の使用状態を示す斜視図である。
【図２】図１の分解斜視図である。
【図３】この発明の摘み部出没型ラッチ錠の摘み部を突出させた状態の斜視図である。
【図４】この発明の摘み部出没型ラッチ錠のラッチを没入させた状態の斜視図である。
【図５】この発明の摘み部出没型ラッチ錠のラッチを出没させた状態を示す背面図である。
【図６】この発明の摘み部出没型ラッチ錠を、開き勝手の異なる扉に使用した場合の斜視図である。
【図７】図６の分解斜視図である。
【符号の説明】
１ 摘み部
２ 錠前
３ 連動カム
４ ラッチ
５ ラッチ本体
７ キー
９ カム駆動軸
16 突起
18 ラッチガイド
19 バネ
【図１】
0004235782.tif 000002
【図２】
0004235782.tif 000003
【図３】
0004235782.tif 000004
【図４】
0004235782.tif 000005
【図５】
0004235782.tif 000006
【図６】
0004235782.tif 000007
【図７】
0004235782.tif 000008